(57)【要約】【課題】フリーアクセスフロアの床下空間の変更を広範囲にわたり容易に調整可能とした二重床用パネル支持脚を提供する。【解決手段】受座Ａに設けた下段スリーブＢ１と、中間スリーブＢ２と、フロアパネル支持受座Ｃに設けた上段スリーブＢ３とをスリーブ開口の段差付き挿し込みによる嵌め合い部ｂ１，ｂ２，ｂ３，ｂ４によって連結自在の構造とする。スリーブＢ１，Ｂ２，Ｂ３を嵌め合い部で連結することにより、広い床下空間用のパネル支持脚が得られる。また、スリーブＢ３をスリーブＢ１に嵌め合い部で連結することにより、狭い床下空間用のパネル支持脚が得られる。【選択図】  図２
2004244925.tif 000002
【特許請求の範囲】
【請求項１】
下段スリーブを有する台座と、前記台座の下段スリーブに嵌め合いにより連結自在とした中間スリーブと、前記中間スリーブに嵌め合いにより連結自在とした上段スリーブを有するフロア支持受座との組み合わせから成り、前記フロア支持受座にある上段スリーブは、前記中間スリーブと、前記台座にある下段スリーブに共通に嵌め合い連結自在とされていることを特徴とする二重床用パネル支持脚。
【請求項２】
前記下段スリーブ、中間スリーブおよび上段スリーブの嵌め合い連結は、スリーブ開口に形成した段差付き挿し込み嵌め合い部によって行われる請求項１に記載の二重床用パネル支持脚。
【請求項３】
前記フロア支持受座は、フロアパネル受け面に弾性クッションシートおよびフロアパネル位置規制用突片を有し、前記弾性クッションシートは高さの異なる凸部を点在状に設けたものが用いられている請求項１〜２に記載の二重床用パネル支持脚。
【請求項４】
フロア支持受座を有する台座と、前記フロア支持受座を囲んで前記台座に支持可能なスリーブを有するフロア支持受座との組み合わせから成ることを特徴とする二重床用パネル支持脚。
【請求項５】
前記スリーブはフロア支持受座の台座に嵌め合い可能とされている請求項４に記載の二重床用パネル支持脚。
【請求項６】
前記スリーブはフロア支持受座に溶接による固着または一体に成形されている請求項４〜５に記載の二重床用パネル支持脚。
【請求項７】
前記フロア支持受座は、フロアパネル受面に弾性クッションシートおよびパネル位置規制用突片を有し、前記弾性クッションシートは高さの異なる凸部を点在状に設けたものが用いられている請求項４〜６に記載の二重床用パネル支持脚。
【発明の詳細な説明】
【０００１】
【発明の属する技術分野】
本発明は、フリーアクセスフロア（二重床）の施工に用いて好適な二重床用パネル支持脚の改良に関する。
【０００２】
【従来の技術】
従来、二重床用パネル支持脚として、床スラブに固定される台座と、その台座に立設したネジ付き支柱部材と、この支柱部材のネジ部分にパネル受座を設け、このパネル受座を回動してパネル高さの調整を行い、ネジ部に別に設けたナットあるいはビス等の部材で調整位置を固定するネジ付き支柱タイプの支持脚が多く用いられている。
【０００３】
上記二重床用パネル支持脚は、パネル床下空間を有効に活用するために提案されたもので、特に前記ネジ付き支柱タイプの支持脚は、広い床下空間をとるのに適合している。
また、オフィス空間の有効利用を図る目的で床下空間を例えば２５〜３０ｍｍと狭くすることができる二重床用パネル支持脚も知られている。
【０００４】
【特許文献１】
特開平７−１９７６２９号公報（ネジ付き支柱タイプの支持脚）
【特許文献２】
特開２０００−１０６１５７号公報（狭い床下空間が得られるタイプの支持脚、図９参照）
【０００５】
【発明が解決しようとする課題】
前記ネジ付き支柱タイプの支持脚は、広い床下空間を設ける施工には適応しているが、狭い床下空間を施工する場合には使用できない。
【０００６】
また、アクセスフロアの設計変更により、ネジ付き支柱タイプの支持脚を狭い床下空間用支持脚に取り替える場合、まずネジ付き支柱タイプの支持脚を床スラブから除去し、そのあと新しい支持脚を設置する作業を行うことになるが、その取り替え作業には多大の時間と費用を要する。
【０００７】
本発明は、上記問題を解消するためになされたものであって、アクセスフロアの床下空間の変更を広範囲にわたり容易に調整可能とした二重床用パネル支持脚を提供することを主たる目的としている。
【０００８】
【課題を解決するための手段】
上記目的を達成するため、本願の第１発明による二重床用パネル支持脚は、下段スリーブを有する台座と、前記台座の下段スリーブに嵌め合いにより連結自在とした中間スリーブと、前記中間スリーブに嵌め合いにより連結自在とした上段スリーブを有するフロア支持受座との組み合わせから成り、前記フロア支持受座にある上段スリーブは、前記中間スリーブと、前記台座にある下段スリーブに共通に嵌め合い連結自在とされていることを要旨とする。
また本願の第２発明による二重床用パネル支持脚は、フロア支持受座を有する台座と、前記フロア支持受座を囲んで前記台座に支持可能なスリーブを有するフロア支持受座との組み合わせから成ることを要旨とする。
【０００９】
【発明の実施の形態】
本発明の好ましい実施の形態としては、図１〜図３に示すように、二重床用パネル支持脚は、下段スリーブＢ１を有する台座Ａと、前記下段スリーブＢ１に嵌め合いにより連結自在とした中間スリーブＢ２と、前記中間スリーブＢ２に連結自在とした上段スリーブＢ３を有するフロア支持受座Ｃとの組み合わせから成り、前記フロア支持受座Ｃにある上段スリーブＢ３は前記中間スリーブＢ２と前記台座Ａにある下段スリーブＢ１に共通に嵌め合い連結自在に構成する。
【００１０】
前記スリーブＢ１，Ｂ２，Ｂ３は、各スリーブ開口に形成した段差付き挿し込み嵌め合い部ｂ１，ｂ２，ｂ３，ｂ４により連結する。
【００１１】
【実施例】
本発明の一実施例を図１〜図４に示す。
図面中、Ａは床面に載置される台座であって、金属板をプレス成形により、円形上面板部１から３つの脚部２を同じ中心角をもって外側に向けて斜め下向に折り曲げた安定性の良い三脚型に構成されている。この台座は三脚型に限定されるものではない。
【００１２】
前記台座Ａの円形上面板部１には、短い金属製下段スリーブＢ１が載置され、溶接部３により固着されている。前記下段スリーブＢ１の上端開口部は、その厚みの一部を同心に切削してなる段差付き挿し込み形嵌め合い部ｂ１とされている。
【００１３】
Ｂ２は前記下段スリーブＢ１に嵌め合いにより連結自在とした比較的長い金属製の中間スリーブである。即ち、中間スリーブＢ２は下段スリーブＢ１と同様に、その下端開口部はその厚みの一部を同心に切削することで、下段スリーブＢ１の嵌め合い部ｂ１に連結できる段差付き挿し込み形嵌め合い部ｂ２とされ、上端開口部にも同じ段差付き挿し込み形嵌め合い部ｂ３が形成されている。
【００１４】
Ｃはフロア支持受座であって、金属板をプレス成形により皿形とされ、その内側に短い金属製の上段スリーブＢ３が溶接部４により固着されている。この上段スリーブＢ３の下端開口部は、前記と同様にその厚みの一部を同心に切削してなる段差付き挿し込み形嵌め合い部ｂ４とされている。この嵌め合い部ｂ４は中間スリーブＢ２の嵌め合い部ｂ３と前記台座ＡのスリーブＢ１の嵌め合い部ｂ１に共通に嵌め合い連結可能とされている。
【００１５】
前記フロア支持受座Ｃの円形上面板部５には、中心角を４等分する部位に切り起し加工によるパネル位置規制用突片６が形成されている。また、円形上面板部５の表面には、ゴム等の材料を用いた弾性クッションシート７が接着剤で貼り付けられている。
【００１６】
前記フロア支持受座Ｃにパネル位置規制用突片６を設け、２点鎖線で示したフロアパネルＤを敷設する施工法については、従来、一般に行われているので、詳しい説明は省略する。
【００１７】
上記構成の二重床用フロア支持脚は、図１〜図２に示すように、まず、台座Ａを床スラブ面に載置し、その下段スリーブＢ１の上に中間スリーブＢ２を、さらにその上にフロア支持受座Ｃの上段スリーブＢ３を順次に嵌め合い連結することで、広い床下空間を形成する支持脚が構成される。
この場合、中間スリーブＢ２を、長さの異なるスリーブに取り替えることで、床下空間を容易に変更調整することができる。
【００１８】
また、図５に示すように、台座Ａの下段スリーブＢ１にフロア支持受座Ｃの上段スリーブＢ３を嵌め合い連結することで、狭い床下空間を形成する支持脚が構成される。
上述したいずれの場合でも、床下空間を変更調整する作業は容易であり、施工費用の大幅な節減が図れる。
【００１９】
前記フロア支持受座Ｃのパネル受け面に設ける弾性シート７は、ゴムなどの平板状弾性シートが用いられているが、図６に示すように、高さの異なる凸部７ａ，７ｂを点在状に設けた弾性シートを用いると、下記の効果が得られる。
【００２０】
上記のように高さの異なる凸部を有する弾性シートの使用によれば、高い凸部のクッション性によりフロアパネルの加振力の減衰が起こってガタツキ音の発生を抑制し、さらに荷重がかかった場合に低い凸部に接触してフロアパネルの沈み込み量を抑制することにより、歩行感が良くなる効果が得られる。
【００２１】
図７に、本願の第２発明を示す。
図７において、Ａ１は床スラブ面に載置される三脚型台座であり、その上面にフロア支持受座Ｃ１が設けられている。即ち、５ａは円形上面板部、６ａは切り起し加工によるパネル位置規制用突片６ａ、７ａは接着剤で貼り付けられた弾性クッションシートである。
【００２２】
Ｂ４は、前記フロア支持受座Ｃ１の円形上面板部５ａに嵌め合わせ可能としたスリーブであり、このスリーブＢ４の上端にフロア支持受座Ｃ２が取り付けられている。
フロア支持受座Ｃ２は、皿形に成形された金属製本体の円形上面板部５ａに切り起し加工によるパネル位置規制用突片６ｂを設け、円形上面板部５ａの板面に弾性クッションシート７ｂを設けた構成とされ、前記スリーブＢ４は前記皿形上面板部５ａの内面側に溶接部４ａで固定されている。
【００２３】
前記スリーブＢ４は前記フロア支持受座Ｃ２の皿形本体と一体に成形してもよい。また、フロア支持受座Ｃ１，Ｃ２の弾性クッションシート７ａ，７ｂは、図６に示すように、高さの異なる凸部を点在状に設けた弾性クッションシートを用いてもよい。
【００２４】
上記構成の二重床用フロア支持脚は、フロア支持受座Ｃ１を有する台座Ａ１を床スラブ面に載置し、その円形上面板部１にフロア支持受座Ｃ２を有するスリーブＢ４を嵌め合わせることにより、広い床下空間を形成するパネル支持脚が構成される。
また、フロア支持受座Ｃ２を有するスリーブＢ４を取り外し、受座Ａのフロア支持受座Ｃ１に切り変えることにより、狭い床下空間を形成するパネル支持脚が構成される。
【００２５】
【発明の効果】
以上詳述したように、本発明によれば、フリーアクセスフロアの床下空間の変更を広範囲にわたり容易に調整可能とした二重床用パネル支持脚が得られる。
【図面の簡単な説明】
【図１】本願の第１発明の一実施例を示す二重床用パネル支持脚の一部切断側面図である。
【図２】分解した状態を示す側面図である。
【図３】台座の平面図である。
【図４】フロア支持受座の一部切断平面図である。
【図５】台座にフロア支持受座を嵌め合わせて成る二重床用パネル支持脚の側面図である。
【図６】フロア支持受座の他の実施例を示す斜視図である。
【図７】本願の第２発明の実施例を示す二重床用パネル支持脚の分解側面図である。
【符号の説明】
Ａ  台座
１  台座の上面板部
２  脚部
３  溶接部
Ｂ１  下段スリーブ
ｂ１  嵌め合い部
Ｂ２  中間スリーブ
ｂ２  嵌め合い部
ｂ３  嵌め合い部
Ｃ  フロア支持受座
Ｂ３  上段スリーブ
ｂ４  嵌め合い部
５  フロア支持受座の上面板部
６  パネル位置規制用突片
７  弾性クッションシート
７ａ  高い凸部
７ｂ  低い凸部
Ａ１  台座
１ａ  台座の上面板部
Ｃ１  フロア支持受座
６ａ  パネル支持規制用突片
７ａ  弾性クッションシート
Ｂ４  スリーブ
Ｃ２  フロア支持受座
４ａ  溶接部
５ａ  フロア支持受座の上面板部
【図１】
2004244925.tif 000003
【図２】
2004244925.tif 000004
【図３】
2004244925.tif 000005
【図４】
2004244925.tif 000006
【図５】
2004244925.tif 000007
【図６】
2004244925.tif 000008
【図７】
2004244925.tif 000009